(57)【特許請求の範囲】
【請求項１】
無線通信モジュールを備える無線ヘッドセットにおいて、
マイクロフォンが設置されたマイクロフォン支持部材と、
無線ヘッドセット本体と前記マイクロフォン支持部材との間に位置され、前記本体から前記マイクロフォン支持部材が広げられるか、折り畳まれるように連結された連結部と、
前記マイクロフォン支持部材が前記本体から広げられるか、折り畳まれることを自動に感知するために前記連結部に位置された感知装置と、
前記感知装置及び無線通信モジュールに連結され、
前記マイクロフォン支持部材が広げられている場合、
無線通信範囲領域内に登録されたマスター端末が存在すると、
前記登録されたマスター端末にリンク連結要求メッセージを伝送し、
前記無線通信範囲領域内に前記登録されたマスター端末が存在しないと、
前記無線ヘッドセットを登録させるための他のマスター端末にＩＤメッセージを伝送して、前記無線ヘッドセットが登録されたマスター端末と前記無線ヘッドセットとの間にリンク連結する制御部と、を備えることを特徴とする無線ヘッドセット。
【請求項２】
前記連結部は、前記無線ヘッドセット本体に前記マイクロフォン支持部材を装着させ、前記感知装置を備えるヒンジ構造を含むことを特徴とする請求項１記載の無線ヘッドセット。
【請求項３】
無線通信モジュールを備える無線ヘッドセットにおいて、
マイクロフォンが設置され、前記無線ヘッドセット本体と連結されるマイクロフォン支持部材と、
前記本体から前記マイクロフォン支持部材が広げられるか折り畳まれるために、前記本体と前記マイクロフォン支持部材との間に位置され装着されるヒンジ構造と、
前記マイクロフォン支持部材が広げられることを感知するために前記ヒンジ構造に位置する感知装置と、
前記感知装置及び無線通信モジュールに連結され、
前記マイクロフォン支持部材が広げられることが感知される場合は、
無線通信範囲領域内に登録された相手の端末が存在すると、
前記相手の端末でリンク連結要求メッセージを伝送し、
前記無線通信範囲領域内に登録された相手の端末が存在しないと、
前記無線ヘッドセットを登録するための他の相手の端末でＩＤメッセージを伝送し、前記無線通信モジュールを通じて前記他の相手の端末に前記無線ヘッドセットのＩＤを登録する制御部と、を備えることを特徴とする無線ヘッドセット。
【請求項４】
前記マイクロフォン支持部材は、前記無線ヘッドセット本体にヒンジ構造として装着されることを特徴とする請求項３記載の無線ヘッドセット。
【請求項５】
マイクロフォンが設置され、前記無線ヘッドセット本体と連結されるマイクロフォン支持部材と、
前記本体から前記マイクロフォン支持部材が広げられるか折り畳まれるために、前記本体と前記マイクロフォン支持部材との間に位置され装着されるヒンジ構造と、
前記マイクロフォン支持部材が広げられることを感知するために前記ヒンジ構造に位置する感知装置と、を含む無線通信モジュールを備える無線ヘッドセットのリンク自動連結方法において、
前記無線ヘッドセットは、
前記マイクロフォン支持部材が広げられている場合、無線通信範囲領域内に登録されたマスター端末が存在すると、
前記登録されたマスター端末にリンク連結要求メッセージを伝送し、
前記無線通信範囲領域内に前記登録されたマスター端末が存在しないと、
前記無線ヘッドセットを登録させるための他のマスター端末にＩＤメッセージを伝送し、前記無線ヘッドセットが登録されたマスター端末と前記無線ヘッドセットとの間のリンク連結を試みる過程と、を備えることを特徴とする無線ヘッドセットのリンク自動連結方法。
【請求項６】
マイクロフォンが設置され、前記無線ヘッドセット本体と連結されるマイクロフォン支持部材と、
前記本体から前記マイクロフォン支持部材が広げられるか折り畳まれるために前記本体と前記マイクロフォン支持部材との間に位置され装着されるヒンジ構造と、
前記マイクロフォン支持部材が広げられることを感知するために前記ヒンジ構造に位置する感知装置と、を含む無線通信モジュールを備える無線ヘッドセットのリンク自動連結方法において、
前記マイクロフォン支持部材が広げられることが感知されると、前記無線ヘッドセットは無線通信モジュールが装着された相手の端末に前記無線ヘッドセットの固有のＩＤの登録を試みる過程と、
無線通信範囲領域内に相手の端末が存在しないと、前記無線ヘッドセットは前記無線ヘッドセットを登録させるための他のマスター端末に前記固有ＩＤの登録のためのＩＤメッセージを伝送する過程と、
前記他の相手の端末は前記無線ヘッドセットから受信されたＩＤメッセージに応答して、前記無線ヘッドセットのＩＤを登録する過程と、を備えることを特徴とする無線ヘッドセットのリンク自動連結方法。
【請求項７】
マイクロフォンが設置され、前記無線ヘッドセット本体と連結されるマイクロフォン支持部材と、
前記本体からマイクロフォン支持部材が広げられるか折り畳まれるために前記本体と前記マイクロフォン支持部材との間に位置され装着されるヒンジ構造と、
前記マイクロフォン支持部材が広げられることを感知するために前記ヒンジ構造に位置する感知装置と、を含む無線通信モジュールを備える無線ヘッドセットのリンク自動連結方法において、
前記マイクロフォン支持部材が広げられることが感知され、登録されたマスター端末が無線通信範囲領域内に存在すると、無線通信モジュールを通じて前記無線ヘッドセットはリンク連結要求メッセージを前記無線ヘッドセットの固有のＩＤが登録されたマスター端末に伝送する過程と、
無線通信範囲領域内に相手の端末が存在しないと、無線通信モジュールを通じて前記無線ヘッドセットはリンク連結要求メッセージを前記無線ヘッドセットの前記固有のＩＤが登録された他のマスター端末に伝送する過程と、
前記リンク連結要求メッセージに応答して前記登録されたマスター端末がリンク連結応答メッセージを前記無線ヘッドセットに伝送する過程と、
前記無線ヘッドセットが前記リンク連結応答メッセージを受信すると、前記無線ヘッドセットと前記無線通信範囲領域内に存在する前記登録されたマスター端末との間にリンクが連結される過程と、を備えることを特徴とする無線ヘッドセットのリンク自動連結方法。
【請求項８】
マイクロフォンが設置され、前記無線ヘッドセット本体と連結されるマイクロフォン支持部材と、
前記本体から前記マイクロフォン支持部材が広げられるか折り畳まれるために前記本体と前記マイクロフォン支持部材との間に位置され装着されるヒンジ構造と、
前記マイクロフォン支持部材が広げられることを感知するために前記ヒンジ構造に位置する感知装置と、を含む無線通信モジュールを備える無線ヘッドセットのリンク自動連結方法において、
前記無線ヘッドセットのＩＤが登録されたマスター端末からリンク連結要求メッセージを受信する過程と、
前記マイクロフォン支持部材が広げられており、前記登録されたマスター端末が無線通信範囲領域内に存在すると、リンク連結要求メッセージを前記マスター端末に伝送する過程と、
無線通信範囲領域内に相手の端末が存在しないと、リンク連結要求メッセージを他のマスター端末に伝送する過程と、
を備えることを特徴とする無線ヘッドセットのリンク自動連結方法。
【請求項９】
マイクロフォンが設置され、前記無線ヘッドセット本体と連結されるマイクロフォン支持部材と、
前記本体からマイクロフォン支持部材が広げられるか折り畳まれるために前記本体と前記マイクロフォン支持部材との間に位置され装着されるヒンジ構造と、
前記マイクロフォン支持部材が広げられることを感知するために前記ヒンジ構造に位置する感知装置と、を含む無線通信モジュールを備える無線ヘッドセットのリンク自動連結方法において、
前記マイクロフォン支持部材が広げられており、相手の端末が通信範囲領域内に存在すると、前記無線ヘッドセットは前記相手の端末にＩＤメッセージを伝送する過程と、
無線通信範囲領域内に相手の端末が存在しないと、前記無線ヘッドセットは他の相手の端末に前記ＩＤメッセージを伝送する過程と、
前記無線通信範囲領域内に存在する前記相手の端末が前記ＩＤメッセージに応答して前記無線ヘッドセットのＩＤを登録し、前記無線ヘッドセットに登録完了メッセージを伝送する過程と、を備えることを特徴とする無線ヘッドセットのリンク自動連結方法。
【請求項１０】
前記相手の端末が無線通信範囲領域内に存在すると、前記無線ヘッドセットは前記無線通信範囲内に存在する相手の端末にリンク連結要求メッセージを伝送する過程と、
前記リンク連結要求メッセージに応答して、前記無線通信範囲内に存在する相手の端末が前記無線ヘッドセットにリンク連結応答メッセージを伝送することによって、前記無線ヘッドセットと前記無線通信範囲領域内に存在する相手の端末との間にリンクを連結する過程と、をさらに備えることを特徴とする請求項９記載の無線ヘッドセットのリンク自動連結方法。
【発明の詳細な説明】
【技術分野】
【０００１】
本発明は、ブルートゥースモジュールを備える補助通信端末に関し、特に、ブルートゥースモジュールを備える無線ヘッドセット及び前記無線ヘッドセットのリンク連結方法に関する。
【背景技術】
【０００２】
無線通信技術の発展によって、無線通信及びコンピュータ産業において、低コスト、低電力の無線装置または無線リンクの実現ができるようになった。前記無線通信に関連して、スウェーデンのエリクソン社(Ericsson)によって“ブルートゥース(bluetooth)”が定義された。ブルートゥースの目標は、使用者にローカル無線通信サービスを提供することで、特に、安定性、能率、低コスト、高容量の音声／データネットワーキングを提供するために設計された。
【０００３】
ブルートゥースモジュールを備える装置は、互いに約１０メータ以内の範囲に位置する場合、無線リンクを通して、音声及びデータを実時間で交換することができる。前記ブルートゥースモジュールを備える装置は、音声／データ信号を伝送するマスターと、前記マスターから伝送された音声／データ信号を受信する複数のスレーブとに分けられ、前記マスター及び前記スレーブの役割は、状況によって変わる。ブルートゥースモジュールは、マイクロチップの形態に製作することができるので、通信装置に容易に結合されることができる。さらに、前記ブルートゥースモジュールは、前記世界的に互換性のある通信周波数帯域である２.４ＧＨｚ周波数帯域で動作する。
【０００４】
ブルートゥースプロトコルは、無線ヘッドセットの以外にも、通信端末、コンピュータ周辺機器、家電機器のような多様な分野に適用されている。全てのブルートゥースモジュールは固有のＩＤを有し、マスターとスレーブとの間にブルートゥース無線通信リンクを連結するためには、前記スレーブのブルートゥースモジュールのＩＤが前記マスターのブルートゥースモジュールに予め登録されていなければならない。無線ヘッドセットは、普通スレーブとしての役割をするので、マスターとスレーブとの間にブルートゥース無線通信リンクを連結するためには、移動通信端末のような相手のマスターブルートゥース無線通信装置に、前記無線ヘッドセットのＩＤが予め登録されてなければならない。
【０００５】
通常、前記ブルートゥースモジュールを備える無線ヘッドセットは、ブルートゥース無線通信に必要であるＩＤ登録及びリンク連結を遂行する機能キーを有し、使用者は、前記無線ヘッドセットのＩＤを相手のブルートゥース無線通信端末に登録し、ブルートゥース無線通信のための無線リンクを設定するために、前記機能キーを手動で選択する。前述したように、従来の無線ヘッドセットは、ブルートゥース無線通信に必要であるＩＤ登録及び無線リンク連結を手動で遂行しなければならないという短所がある。
【発明の開示】
【発明が解決しようとする課題】
【０００６】
従って、本発明の目的は、使用者による別の作業なしで、自動にＩＤ登録及び無線リンク連結を遂行することのできる無線ヘッドセット、及びリンク連結方法を提供することにある。
【課題を解決するための手段】
【０００７】
前記目的を達成するための本発明による無線ヘッドセットは、マイクロフォンが設置され、前記無線ヘッドセット本体から広げられるか折り畳まれることができるように前記無線ヘッドセット本体に連結させる連結部を有するマイクロフォン支持部材と、前記マイクロフォン支持部材が広げられているか折り畳まれているかを感知する感知装置と、前記感知装置及びブルートゥースモジュールに連結され、前記感知装置によって前記マイクロフォン支持部材が広げられていると感知される場合は、前記ブルートゥースモジュールを使用して、前記無線ヘッドセットと前記無線ヘッドセットに登録されたマスター端末とをリンク連結する制御部と、を備える。
【０００８】
さらに、本発明は、ブルートゥースモジュールと、マイクロフォンが設置され、前記無線ヘッドセット本体から広げられるか折り畳まれることができるマイクロフォン支持部材と、前記マイクロフォン支持部材の連結部に連結され、前記マイクロフォン支持部材が広げられているか折り畳まれているかを感知する感知装置と、を備える無線ヘッドセットの自動リンク連結方法を提供する。
【０００９】
前記自動リンク連結方法は、前記感知装置によって前記マイクロフォン支持部材が広がられていると感知される場合、前記無線ヘッドセットによって、相手のブルートゥースモジュール端末への前記無線ヘッドセットのＩＤ登録、及び前記無線ヘッドセットと前記相手のブルートゥースモジュール端末との間のリンク設定を試みる過程と、前記相手のブルートゥースモジュール端末によって、前記無線ヘッドセットによる前記ＩＤ登録及びリンク設定の試みに応じて、前記無線ヘッドセットのＩＤを登録して前記リンクを設定する過程と、を備える。
【発明の効果】
【００１０】
前述してきたように、本発明による無線ヘッドセットは、前記マイクロフォン支持部材の連結部の位置を確認し、前記マイクロフォン支持部材の動きによってオン／オフになるスイッチ、及び前記マイクロフォン支持部材を広げることによってスイッチがオンになる時に前記ＩＤ登録及びリンク連結を試みる制御器を使用して、使用者による別途の操作を必要とせず、自動にＩＤ登録及びリンク連結を遂行することができる。
【発明を実施するための最良の形態】
【００１１】
以下、本発明による好適な一実施形態を添付図面を参照しつつ詳細に説明する。下記説明において、本発明の要旨を明確にするために関連した公知機能または構成に対する具体的な説明は省略する。
【００１２】
図１は、本発明の一実施形態による無線ヘッドセットのブロック図であり、図２は、本発明の一実施形態による無線ヘッドセットを示す。図１及び図２を参照して、無線ヘッドセットの構造を説明する。
【００１３】
図１を参照すると、本発明の一実施形態による無線ヘッドセットの構成は、ブルートゥースモジュール１１０、制御部１１１、音声処理部１１３、スイッチ１１９ａ、スピーカ１１５、マイクロフォン１１７ａ、キー入力部１２１を含む。前記制御部１１１は、前記無線ヘッドセットの全般的な動作を制御する。前記ブルートゥースモジュール１１０は、ブルートゥースプロトコルによって前記無線ヘッドセットとのブルートゥース装置との通信を可能にする。前記ブルートゥースモジュールは、前記ブルートゥースモジュール間に定義されたＨＣＩ(Host Control Interface)を通してメッセージパケットを交換することによって、制御命令、前記制御命令に対する応答、及びユーザーデータを送受信する。
【００１４】
ＨＣＩパケットを実際伝達するためには、例えば、ＲＳ２３２インターフェース、ＵＳＢインターフェース、標準ＰＣインターフェースを活用することができる。前記ＨＣＩパケットは、コマンド(command)、イベント(event)、データ(data)パケットに区分される。前記コマンドパケットは、前記ブルートゥースモジュールの多様な活用のために、約６０個の命令語を提供する。前記音声処理部１１３は、前記制御部１１１の制御によって、前記マイクロフォン１１７ａを通して入力される音声信号を伝送可能の(無線)信号に変調して前記ブルートゥースモジュール１１０に提供し、前記ブルートゥースモジュール１１０から受信される信号を音声信号に復調して前記スピーカ１１５に提供する。前記キー入力部１２１は、使用者によって入力されるキー入力データを前記制御部１１１に提供する。
【００１５】
前記制御部１１１に連結された前記スイッチ１１９ａは、前記マイクロフォン１１７ａが設置されたマイクロフォン支持部材の動きによってオン／オフになる。一般的に、前記マイクロフォン支持部材は前記無線ヘッドセットにヒンジ(hinge)構造として装着されているので、前記無線ヘッドセットが使用中でない時は、前記マイクロフォン支持部材が前記無線ヘッドセットの方に折り畳まれる。図２を参照すると、前記スイッチ１１９ａは、マイクロフォン支持部材１１７ｂがヒンジ構造で連結されているヒンジ連結部１１９ｂ内に位置し、前記マイクロフォン支持部材１１７ｂの動きによってオン／オフになる。
【００１６】
特に、前記マイクロフォン支持部材１１７ｂを矢印１の方向に動かせて折り畳む場合、前記スイッチ１１９ａはオフになり、前記マイクロフォン支持部材１１７ｂを広げる場合は、前記スイッチ１１９ａがオンになる。前記制御部１１１は、前記スイッチ１１９ａのオン／オフ状態を監視し、前記スイッチ１１９ａがオンである場合は、ＩＤ登録及びリンク連結を遂行する。
【００１７】
図３及び図４を参照して、前記スイッチ１１９ａがオンの状態である時(つまり、前記マイクロフォン支持部材１１７ｂが広げられている時)、前記制御部１１１の制御によって、自動ＩＤ登録及び自動リンク連結を遂行する過程を説明する。図３は、本発明の一実施形態による無線ヘッドセットにおける前記制御部１１１の動作を示すフローチャートである。特に、図３は、マスター端末の要求によって自動ＩＤ登録及び自動リンク連結を遂行する過程を示す。
【００１８】
まず、マスター端末(例えば、移動通信端末)は、ブルートゥースモジュールを有し、前記マスター端末とのブルートゥース通信ができる範囲内に位置したスレーブ端末(例えば、無線ヘッドセット)に、同期を合わせるためのＳＣＯ(Synchronous Connection-Oriented Link)信号及び固有ＩＤ登録要求メッセージを発信する。図３を参照すると、前記無線ヘッドセットは、前記ＳＣＯ信号を通して前記通信端末と同期を合わせた後、段階２０１で、前記固有ＩＤ登録要求メッセージを受信する。段階２０３で、前記制御部１１１は、メッセージ受信インディケーションＬＥＤ(Light Emitting Diode)を点灯することで、使用者に知らせる。使用者は、前記ＬＥＤの点灯によって、前記マイクロフォン支持部材１１７ｂを広げる。
【００１９】
前記制御部１１１は、段階２０５で、前記スイッチ１１９ａがオン状態であるか否かを確認する。段階２０７で、前記制御部１１１は、前記マイクロフォン支持部材１１７ｂが広げられたことで、前記スイッチ１１９ａがオンになる場合、ＩＤメッセージを前記マスター端末に伝送する。前記マスター端末は、ＩＤメッセージを受信すると、前記無線ヘッドセットのＩＤを登録し、ＩＤ登録完了メッセージを前記無線ヘッドセットに伝送する。ここで、前記マスター端末は、前記スレーブのＩＤを登録することができる状態でなければならない。段階２０９で、前記制御部１１１は、前記マスター端末から前記ＩＤ登録完了メッセージを受信し、段階２１１に進行する。
【００２０】
次に、前記マスター端末は、必要に応じて、ＡＣＬ(Asynchronous Connection-less Link)チャネルを通してリンク連結要求メッセージを発信する。段階２１１で、前記制御部１１１は、前記リンク連結要求メッセージが受信されているか否かを判断する。前記リンク連結要求メッセージが受信されている場合、前記制御部１１１は段階２１３に進行し、前記リンク連結要求メッセージが受信されていない場合は、待機状態になる。段階２１３で、前記制御部１１１は、前記リンク連結要求メッセージに対するリンク連結応答メッセージを前記マスター端末に伝送して、前記マスター端末と前記無線ヘッドセットとの間にリンクを連結する。通常、前記リンク連結応答メッセージは、前記マスターまたはスレーブ装置によって発生されて、前記装置が実際通信可能の待機状態であることを示す。
【００２１】
要するに、段階２０１乃至段階２０９を通して、前記マスター端末に前記無線ヘッドセットのＩＤが登録された場合、前記マスター端末は、前記無線ヘッドセットが前記マスター端末とのブルートゥース無線通信ができる範囲内に存在するか否かを監視する。次に、前記マスター端末は、リンク連結要求を受信(例えば、着信呼の受信または使用者からのリンク連結要求の受信)すると、前記無線ヘッドセットにリンク連結要求メッセージを発信する。
【００２２】
図４を参照して、本発明の他の実施形態によって前記無線ヘッドセットの要求に応じてブルートゥース無線通信リンクを連結する過程を説明する。図４は、本発明の他の実施形態による前記無線ヘッドセットの制御部１１１の動作を示すフローチャートである。段階２３１で、前記制御部１１１は、前記スイッチ１１９ａがオンになっているか否かを確認する。
【００２３】
使用者が前記マイクロフォン支持部材１１７ｂを広げることによって、前記スイッチ１１９ａがオンの状態になる場合、前記制御器１１１は、段階２３３で、前記無線ヘッドセットとのブルートゥース無線通信ができる範囲に前記無線ヘッドセットが登録されているマスター端末が位置するか否かを確認する。前記登録されたマスター端末が前記範囲内に位置する場合、前記制御器１１１は段階２３９に進行し、そうでない場合は、段階２３５に進行する。
【００２４】
段階２３９で、前記制御部１１１は、前記登録されたマスター端末にリンク連結要求メッセージを伝送する。次に、前記登録されたマスター端末からリンク連結応答メッセージを受信すると、前記無線ヘッドセットと前記登録されたマスター端末との間にブルートゥース無線通信リンクが連結される。そうでない場合、段階２４１で、前記ブルートゥース無線通信リンク連結は失敗し、段階２３１に戻る。
【００２５】
しかしながら、段階２３３で、前記登録されたマスター端末が前記範囲内に位置しない場合、前記制御部１１１は、段階２３５で、ＩＤメッセージを前記マスター端末に伝送する。前記マスター端末は、前記無線ヘッドセットのＩＤを登録することができる場合、前記無線ヘッドセットから受信された前記ＩＤメッセージを使用して前記無線ヘッドセットのＩＤを登録する。次に、前記マスター端末は、前記無線ヘッドセットにＩＤ登録完了メッセージを伝送する。
【００２６】
段階２３７で、前記制御部１１１は、前記ＩＤ登録完了メッセージが前記マスター端末から受信されているか否かを確認する。前記制御器１１１は、前記ＩＤ登録完了メッセージが受信されている場合は、段階２３９に進行する。そうでない場合、前記制御器１１１は、段階２４１に進行して、ＩＤ登録及びリンク連結に失敗する。段階２３９で、前記制御部１１１は、リンク連結要求メッセージを前記マスター端末に伝送する。その後、前記マスター端末からリンク連結応答メッセージを受信する場合、前記無線ヘッドセットと前記マスター端末との間にブルートゥース無線通信リンクが連結される。そうでない場合は、段階２４１で、前記ブルートゥース無線通信リンク連結は失敗する。
【００２７】
一方、前記本発明の詳細な説明では具体的な実施形態に挙げて説明してきたが、本発明の範囲内で様々な変形が可能であるということは勿論である。従って、本発明の範囲は前記実施形態によって限られるべきでなく、特許請求の範囲とそれに均等なものによって定められるべきである。例えば、感知装置として動作する前記スイッチ１１９ａを、マイクロフォン支持部材の動きを感知することができる装置に取り替えるとこができる。さらに、本発明は、前記ヒンジ構造の代わりに、スライディングタイプ(sliding type)によって前記ヘッドセットに連結されるマイクロフォン支持部材を有する無線ヘッドセットに適用することもできる。
【図面の簡単な説明】
【００２８】
【図１】本発明の一実施形態による無線ヘッドセットのブロック図である。
【図２】本発明の一実施形態による無線ヘッドセットの側面図である。
【図３】本発明の一実施形態による無線ヘッドセットの制御部の動作を示すフローチャートである。
【図４】本発明の他の実施形態による無線ヘッドセットの制御部の動作を示すフローチャートである。
【符号の説明】
【００２９】
１１０  ブルートゥースモジュール
１１１  制御部
１１３  音声処理部
１１５  スピーカ
１１７ａ  マイクロフォン
１１７ｂ  マイクロフォン支持部材
１１９ａ  スイッチ
１１９ｂ  ヒンジ連結部
１２１  キー入力部
【図１】
0004499118.tif 000002
【図２】
0004499118.tif 000003
【図３】
0004499118.tif 000004
【図４】
0004499118.tif 000005